【手続補正書】
【提出日】平成21年10月6日(2009.10.6)
【手続補正１】
【補正対象書類名】明細書
【補正対象項目名】特許請求の範囲
【補正方法】変更
【補正の内容】
【特許請求の範囲】
【請求項１】  記録装置と電気的に接続される給紙装置であって、自装置よりも前記記録装置側に接続される給紙装置または前記記録装置と通信を行ない、及び、自装置を介して前記記録装置に電気的に接続される給紙装置と通信を行なう給紙装置において、
自装置を介して前記記録装置に電気的に接続される前記給紙装置の装置情報を取得する手段と、
前記取得した装置情報と自装置の装置情報を加算して得られた装置情報を自装置よりも前記記録装置側に接続される前記給紙装置または前記記録装置に送信する第１の通信手段と、
自装置よりも前記記録装置側に接続される前記給紙装置または前記記録装置から送信される情報を解析して、自装置を介して前記記録装置に電気的に接続される前記給紙装置に送信する第２の通信手段であって、該送信された情報のうち自装置に関する情報に基づき自装置を制御するとともに、該送信された情報のうち自装置に関する情報を分離して得られた自装置を介して前記記録装置に電気的に接続される前記給紙装置に関する情報を、自装置を介して前記記録装置に電気的に接続される前記給紙装置に送信する第２の通信手段と
を有することを特徴とする給紙装置。
【請求項２】  請求項１において、
自装置を介して前記記録装置に電気的に接続される前記給紙装置の前記装置情報は、少なくともそのトレイ数と、当該トレイに関するトレイ情報を含んでおり、
前記取得した装置情報と自装置の装置情報を加算して得られた前記情報は、少なくとも前記トレイ数に自装置のトレイ数を加算したトレイ数と、自装置を介して前記記録装置に電気的に接続される前記給紙装置および自装置のトレイに関するトレイ情報を含むことを特徴とする給紙装置。
【請求項３】  請求項２において、
前記トレイ情報は用紙遅延ジャム検知時間を含んでおり、
前記第１の通信手段は、自装置が自装置を介して前記記録装置に電気的に接続される前記給紙装置に至る用紙搬送路を有する場合は、自装置を介して前記記録装置に電気的に接続される前記給紙装置から送信されてきた前記用紙遅延ジャム検知時間に自装置の前記用紙遅延ジャム検知時間を加算した値を自装置よりも前記記録装置側に接続される前記給紙装置へ送信し、自装置が自装置を介して前記記録装置に電気的に接続される前記給紙装置に至る用紙搬送路を持たない場合は、自装置を介して前記記録装置に電気的に接続される前記給紙装置から送信されてきた前記用紙遅延ジャム検知時間を自装置よりも前記記録装置側に接続される前記給紙装置へ送信することを特徴とする給紙装置。
【請求項４】  請求項１において、
前記送信された情報は制御対象となるトレイ位置情報を含んでおり、
前記第２の通信手段は、前記トレイ位置情報が自装置を介して前記記録装置に電気的に接続される前記給紙装置のトレイ位置情報であると判断した場合は、前記トレイ位置情報から自装置のトレイ数を減算して得たトレイ位置情報を、自装置を介して前記記録装置に電気的に接続される前記給紙装置に送信することを特徴とする給紙装置。
【請求項５】  記録装置と電気的に接続される排紙装置であって、自装置よりも前記記録装置側に接続される排紙装置または前記記録装置と通信を行ない、及び、自装置を介して前記記録装置に電気的に接続される排紙装置と通信を行なう排紙装置において、
自装置を介して前記記録装置に電気的に接続される前記排紙装置の装置情報を取得する手段と、
前記取得した装置情報と自装置の装置情報を加算して得られた装置情報を自装置よりも前記記録装置側に接続される前記排紙装置または前記記録装置に送信する第１の通信手段と、
自装置よりも前記記録装置側に接続される前記排紙装置または前記記録装置から送信される情報を解析して、自装置を介して前記記録装置に電気的に接続される前記排紙装置に送信する第２の通信手段であって、該送信された情報のうち自装置に関する情報に基づき自装置を制御するとともに、該送信された情報のうち自装置に関する情報を分離して得られた自装置を介して前記記録装置に電気的に接続される前記排紙装置に関する情報を、自装置を介して前記記録装置に電気的に接続される前記排紙装置に送信する第２の通信手段と
を有することを特徴とする排紙装置。
【請求項６】  請求項５において、
自装置を介して前記記録装置に電気的に接続される前記排紙装置の前記装置情報は、少なくともそのトレイ数と、当該トレイに関するトレイ情報を含んでおり、
前記取得した装置情報と自装置の装置情報を加算して得られた前記情報は、少なくとも前記トレイ数に自装置のトレイ数を加算したトレイ数と、自装置を介して前記記録装置に電気的に接続される前記排紙装置および自装置のトレイに関するトレイ情報を含むことを特徴とする排紙装置。
【請求項７】  請求項６において、
前記トレイ情報は用紙の排紙完了時間を含んでおり、
前記第１の通信手段は、自装置が自装置を介して前記記録装置に電気的に接続される前記排紙装置に至る用紙搬送路を有する場合は、自装置を介して前記記録装置に電気的に接続される前記排紙装置から送信されてきた前記排紙完了時間に自装置の排紙完了時間を加算した値を自装置よりも前記記録装置側に接続される前記排紙装置へ送信し、自装置が自装置を介して前記記録装置に電気的に接続される前記排紙装置に至る用紙搬送路を持たない場合は、自装置を介して前記記録装置に電気的に接続される前記排紙装置から送信されてきた前記排紙完了時間を自装置よりも前記記録装置側に接続される前記排紙装置へ送信することを特徴とする排紙装置。
【請求項８】  請求項５において、
前記送信された情報は制御対象となるトレイ位置情報を含んでおり、
前記第２の通信手段は、前記トレイ位置情報が自装置を介して前記記録装置に電気的に接続される前記排紙装置のトレイ位置情報であると判断した場合は、前記トレイ位置情報から自装置のトレイ数を減算して得たトレイ位置情報を、自装置を介して前記記録装置に電気的に接続される前記排紙装置に送信することを特徴とする排紙装置。
【手続補正２】
【補正対象書類名】明細書
【補正対象項目名】０００６
【補正方法】変更
【補正の内容】
【０００６】
【課題を解決するための手段】
上記の目的を達成するために本発明に係る給紙装置は、記録装置と電気的に接続される給紙装置であって、自装置よりも前記記録装置側に接続される給紙装置または前記記録装置と通信を行ない、及び、自装置を介して前記記録装置に電気的に接続される給紙装置と通信を行なう給紙装置において、自装置を介して前記記録装置に電気的に接続される前記給紙装置の装置情報を取得する手段と、前記取得した装置情報と自装置の装置情報を加算して得られた装置情報を自装置よりも前記記録装置側に接続される前記給紙装置または前記記録装置に送信する第１の通信手段と、自装置よりも前記記録装置側に接続される前記給紙装置または前記記録装置から送信される情報を解析して、自装置を介して前記記録装置に電気的に接続される前記給紙装置に送信する第２の通信手段であって、該送信された情報のうち自装置に関する情報に基づき自装置を制御するとともに、該送信された情報のうち自装置に関する情報を分離して得られた自装置を介して前記記録装置に電気的に接続される前記給紙装置に関する情報を、自装置を介して前記記録装置に電気的に接続される前記給紙装置に送信する第２の通信手段とを有することを特徴とする。
【手続補正３】
【補正対象書類名】明細書
【補正対象項目名】０００７
【補正方法】変更
【補正の内容】
【０００７】
ここで、自装置を介して前記記録装置に電気的に接続される前記給紙装置の前記装置情報は、少なくともそのトレイ数と、当該トレイに関するトレイ情報を含んでおり、前記取得した装置情報と自装置の装置情報を加算して得られた前記情報は、少なくとも前記トレイ数に自装置のトレイ数を加算したトレイ数と、自装置を介して前記記録装置に電気的に接続される前記給紙装置および自装置のトレイに関するトレイ情報を含むものであって良い。
【手続補正４】
【補正対象書類名】明細書
【補正対象項目名】０００８
【補正方法】変更
【補正の内容】
【０００８】
ここで、前記トレイ情報は用紙遅延ジャム検知時間を含んでおり、前記第１の通信手段は、自装置が自装置を介して前記記録装置に電気的に接続される前記給紙装置に至る用紙搬送路を有する場合は、自装置を介して前記記録装置に電気的に接続される前記給紙装置から送信されてきた前記用紙遅延ジャム検知時間に自装置の前記用紙遅延ジャム検知時間を加算した値を自装置よりも前記記録装置側に接続される前記給紙装置へ送信し、自装置が自装置を介して前記記録装置に電気的に接続される前記給紙装置に至る用紙搬送路を持たない場合は、自装置を介して前記記録装置に電気的に接続される前記給紙装置から送信されてきた前記用紙遅延ジャム検知時間を自装置よりも前記記録装置側に接続される前記給紙装置へ送信するものであって良い。
【手続補正５】
【補正対象書類名】明細書
【補正対象項目名】０００９
【補正方法】変更
【補正の内容】
【０００９】
ここで、前記送信された情報は制御対象となるトレイ位置情報を含んでおり、前記第２の通信手段は、前記トレイ位置情報が自装置を介して前記記録装置に電気的に接続される前記給紙装置のトレイ位置情報であると判断した場合は、前記トレイ位置情報から自装置のトレイ数を減算して得たトレイ位置情報を、自装置を介して前記記録装置に電気的に接続される前記給紙装置に送信するものであって
良い。
【手続補正６】
【補正対象書類名】明細書
【補正対象項目名】００１０
【補正方法】変更
【補正の内容】
【００１０】
上記の目的を達成するために本発明に係る排紙装置は、記録装置と電気的に接続される排紙装置であって、自装置よりも前記記録装置側に接続される排紙装置または前記記録装置と通信を行ない、及び、自装置を介して前記記録装置に電気的に接続される排紙装置と通信を行なう排紙装置において、自装置を介して前記記録装置に電気的に接続される前記排紙装置の装置情報を取得する手段と、前記取得した装置情報と自装置の装置情報を加算して得られた装置情報を自装置よりも前記記録装置側に接続される前記排紙装置または前記記録装置に送信する第１の通信手段と、自装置よりも前記記録装置側に接続される前記排紙装置または前記記録装置から送信される情報を解析して、自装置を介して前記記録装置に電気的に接続される前記排紙装置に送信する第２の通信手段であって、該送信された情報のうち自装置に関する情報に基づき自装置を制御するとともに、該送信された情報のうち自装置に関する情報を分離して得られた自装置を介して前記記録装置に電気的に接続される前記排紙装置に関する情報を、自装置を介して前記記録装置に電気的に接続される前記排紙装置に送信する第２の通信手段とを有することを特徴とする。
【手続補正７】
【補正対象書類名】明細書
【補正対象項目名】００１１
【補正方法】変更
【補正の内容】
【００１１】
ここで、自装置を介して前記記録装置に電気的に接続される前記排紙装置の前記装置情報は、少なくともそのトレイ数と、当該トレイに関するトレイ情報を含んでおり、前記取得した装置情報と自装置の装置情報を加算して得られた前記情報は、少なくとも前記トレイ数に自装置のトレイ数を加算したトレイ数と、自装置を介して前記記録装置に電気的に接続される前記排紙装置および自装置のトレイに関するトレイ情報を含むのであって良い。
【手続補正８】
【補正対象書類名】明細書
【補正対象項目名】００１２
【補正方法】変更
【補正の内容】
【００１２】
ここで、前記トレイ情報は用紙の排紙完了時間を含んでおり、前記第１の通信手段は、自装置が自装置を介して前記記録装置に電気的に接続される前記排紙装置に至る用紙搬送路を有する場合は、自装置を介して前記記録装置に電気的に接続される前記排紙装置から送信されてきた前記排紙完了時間に自装置の排紙完了時間を加算した値を自装置よりも前記記録装置側に接続される前記排紙装置へ送信し、自装置が自装置を介して前記記録装置に電気的に接続される前記排紙装置に至る用紙搬送路を持たない場合は、自装置を介して前記記録装置に電気的に接続される前記排紙装置から送信されてきた前記排紙完了時間を自装置よりも前記記録装置側に接続される前記排紙装置へ送信することができる。
【手続補正９】
【補正対象書類名】明細書
【補正対象項目名】００１３
【補正方法】変更
【補正の内容】
【００１３】
ここで、前記送信された情報は制御対象となるトレイ位置情報を含んでおり、前記第２の通信手段は、前記トレイ位置情報が自装置を介して前記記録装置に電気的に接続される前記排紙装置のトレイ位置情報であると判断した場合は、前記トレイ位置情報から自装置のトレイ数を減算して得たトレイ位置情報を、自装置を介して前記記録装置に電気的に接続される前記排紙装置に送信することができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００３３
【補正方法】変更
【補正の内容】
【００３３】
上記構成の本発明では、自装置と上流装置(自装置よりも記録装置側に接続される給紙または排紙装置)、及び自装置と下流装置(自装置を介して記録装置に電気的に接続される給紙または排紙装置)間の２系統の通信手段を持たせ、上流の例えば給紙装置から送られる上流装置の情報に自装置の装置情報を付加した装置情報を下流の給紙装置へ送るとともに、下流の給紙装置から送られる制御情報を解析し、自装置に関する制御情報であれば、その制御情報に基づき自装置を制御し、上流の給紙装置に関する情報であればその情報を分離し、上流の給紙装置へ送るように制御することにより、記録装置本体等の外部装置から見れば、複数台の給紙装置が接続されていても、あたかも１台の給紙装置が接続されているように制御させることができる。